(57)【要約】本発明は、フレーム部と、並びに、補強フランジの少なくとも一部分を、陰極線管内の残りのフレーム部、シャドー・マスク・フレームおよびシャドー・マスクから離すための方法と、に係る。シャドー・マスク・フレームは、中空かつ略矩形に配置された少なくとも４つのフレーム部から構成される。各フレーム部は、互いに対してある角度をなして配置された薄肉材料の２つのフランジ部を含む。第１のフランジ部は、マスク取付けフランジとして機能し、その幅は陰極線と略平行に延びる。また、第２のフランジ部は補強フランジとして機能し、その幅は陰極線に対し略垂直に延びる。本発明により、貫通スリットは、フレーム部の長手方向に形成される。
2005537620.tif 000002
【特許請求の範囲】
【請求項１】
陰極線管内に位置し、中空で略矩形の形状を有し、且つ、シャドー・マスクの取り付けが可能なシャドー・マスク・フレームの一部分を形成するように適応されたフレーム部であって、
前記フレーム部は、互いにある角度をなして配置された薄肉材料の２つのフランジ部を含み、
第１のフランジ部は、マスク取付けフランジとして機能し、第１のフランジ部の幅は陰極線の方向と略平行に延び、第１のフランジ部に前記シャドー・マスクを取り付けることが可能であり、
第２のフランジ部は、補強フランジとして機能し、第２のフランジ部の幅は前記陰極線の方向に対し略垂直に延び、
前記補強フランジ部が、前記シャドー・マスクに対するマイクロフォニーの影響を低減するように前記フレーム部の長手方向に延びる細長い貫通スリットを有する、
ことを特徴とするフレーム部。
【請求項２】
前記スリットは、前記フレーム部の全長の少なくとも５０％の長さを有することを特徴とする、請求項１記載のフレーム部。
【請求項３】
前記スリットは、前記フレーム部の全長の少なくとも６０％の長さを有することを特徴とする、請求項１記載のフレーム部。
【請求項４】
前記スリットは、前記フレーム部の全長の少なくとも７０％の長さを有することを特徴とする、請求項１記載のフレーム部。
【請求項５】
前記スリットを、補強フランジにおける貫通カットとして形成することと、該貫通カットを囲む縁部のうち少なくとも１つを一方の側に曲げ、縁部をずらして前記スリットを形成することと、を特徴とする、請求項１乃至４のうちいずれか一項記載のフレーム部。
【請求項６】
前記補強フランジが、前記フレーム部の長手方向に延び前記スリットと内側縁との間の領域に位置するリブを有することを特徴とする、請求項１乃至５のうちいずれか一項記載のフレーム部。
【請求項７】
１本より多いスリットが前記補強フランジにおいて互いに平行に配置されることを特徴とする、請求項１乃至６のうちいずれか一項記載のフレーム部。
【請求項８】
前記スリットは、その長さに沿って不連続であり、ブリッジ部によって中断されることを特徴とする、請求項１乃至８のうちいずれか一項記載のフレーム部。
【請求項９】
請求項１乃至８のうちいずれか一項記載のフレーム部を含むシャドー・マスク・フレームを備えた、色選択電極を有する陰極線管。
【発明の詳細な説明】
【技術分野】
【０００１】
本発明は、陰極線管内に位置し、中空の及び略矩形の形状を有し、かつシャドー・マスクの取り付けが可能なシャドー・マスク・フレームの一部分を、形成するために適応されたフレーム部である。前記フレーム部は、互いにある角度をなして配置された薄肉材料の２つのフランジ部を含み、うち第１のフランジ部は、マスク取付けフランジとして機能し、その幅は陰極線の方向と略平行に延び、かつシャドー・マスクを取り付けることが可能であり、第２のフランジ部は、補強フランジとして機能し、その幅は陰極線の方向に略垂直に延びる、フレーム部に係る。
【０００２】
本発明はまた、上述されたフレーム部を含むシャドー・マスク・フレームを備えた、色選択電極を有する陰極線管にも係る。
【背景技術】
【０００３】
例えばテレビ又はコンピュータのモニタのようなカラーの陰極線管においては、陰極線管が、スピーカからのような大きな音又は衝撃などの周囲の振動源等に晒された場合に、映像の質が落ちる、という問題点は周知である。画像解像及び色純度が低下する。その原因は、シャドー・マスクが、周囲の振動に晒される際に、振動し始めるためである。これは所謂マイクロフォニー効果又はマイクロフォニー特性と呼ばれるものであり、その結果、陰極線は、映像スクリーンの誤った場所に頻繁に当たる。
【０００４】
近年ますます一般的になっているのが、長さがより短い陰極線管、即ち「より平らな」管を製造することであり、そのような管内では、陰極線はより広い角度に広がる。この傾向と同時に、陰極線管のマイクロフォニー特性に関連する問題は増加していることが観察されている。
【０００５】
特開平６−４４９１９号公報（特許文献１）において、シャドー・マスクの本体構造が開示されおり、本体構造上に、長手方向及び横方向のビードのパターンを形成することにより、シャドー・マスクのマイクロフォニー特性に関連する問題を解決する試みがなされている。これらの方策は、本体構造をより安定かつ剛体なものとさせるが、周囲の振動の影響を受けやすい領域は依然として同じであり、又、これらの方策の影響は、本体構造の共振周波数を上げるものである。
【特許文献１】特開平６−４４９１９号公報
【発明の開示】
【発明が解決しようとする課題】
【０００６】
本発明は、周囲の振動に起因する振幅に対するシャドーマスクの感受性を低下させるフレーム部を提供することを目的とする。少なくとも本目的は、請求項１記載のフレーム部により達成される。
【０００７】
本発明の他の実施例により、請求項６においては、更なる目的により、安定性及び剛性が高められたフレーム部が提供される。
【課題を解決するための手段】
【０００８】
従って、本発明は、上述された目的が、フレーム部の補強フランジにおける長手方向の貫通（ｔｈｒｏｕｇｈ）スリットを提供することにより達成されるという見識に基づくものである。この方策により、周囲の振動によって悪影響を受ける補強フランジの範囲の大部分は、残りのフレーム部、フレーム及びシャドー・マスクから離されることが可能となり、シャドー・マスクに悪影響を与えずに単独で振動することができる。同時に、フレーム部の共振周波数は低くなり、その結果、フレーム部に最も影響を与える周囲の振動周波数は、必要に応じて、可聴周波数よりも低い周波数まで下げられうる。このように、共振周波数よりもわずかに上の周波数を下回る周波数を、可聴な影響を音に与えることなく、プログラムの音声出力から除去することが可能である。
【０００９】
スリットの長さは、例えば、補強フランジ部分の幅又はフレームとシャドー・マスクの共振周波数等の、実状によって変更可能である。スリットの長さは、一般的には、フレーム部の全長の少なくとも５０％、可能であれば少なくとも６０％、より望ましくは少なくとも７０％である。更に、これが有利であると証明された場合は、同一のフレーム部に、１本より多いスリットを形成することが考えられる。１本のスリットは、その長さ全てに亘って連続的であることが望ましい。しかしながら、スリット部がブリッジ部分によって中断されても望ましい有利性を達成することが可能であると考えられる。スリットの長さ、スリットの本数、並びに補強フランジ部分におけるスリットの位置を変更することによって、ある特定の周波数又は周波数の範囲を徐々に消すよう、フレーム部と、フレーム及びシャドー・マスクの組み合わせと共に組み立てられたフレームを「調整」することが可能である。
【００１０】
シャドー・マスク・フレームを構成するフレーム部は、その後シャドー・マスク・フレームに組み込まれる別個の部品として、任意に形成されうる。しかしながら、シャドー・マスク用の全てのフレーム部は、シャドー・マスク・フレームの望ましい型に曲げられ形成された共通ブランクからも形成されうる。シャドー・マスク・フレームを形成するフレーム部のうちただ１つ又は２、３のフレーム部を、スリット付きで形成しうることも、また、本発明の範囲内である。
【００１１】
本発明のほかの実施例によれば、補強フランジ部分におけるスリットは、スリットに対してフレーム部の内側自由縁にもっとも近い補強フランジ側のビード又はリブと組み合わされる。望ましくはリブは補強フランジを波形成形することにより形成され、またスリットと平行に延びる。スリットと同様に、リブも長さ、位置及び本数を変更することが可能であり、フレーム部を「調整」するために利用されうる。
【発明を実施するための最良の形態】
【００１２】
以下、一例として添付の図を参照しながら本発明について説明する。
【００１３】
図１及び図２は、本発明によりフレーム部１を、夫々平面図及び横断面図にて示す。好適な実施例においては、フレーム部分は別個の部品として製造され、うち４つのフレーム部が、陰極線管用に中心が中空である矩形のシャドー・マスク・フレームとして組み立てられる。各フレーム部はマスク取付けフランジ２を含み、多くの異なる方法で設計されうる。一般的な原理によれば、完成品である陰極線管におけるマスク取付けフランジの幅は、陰極線と略平行に、及び陰極線管の映像スクリーンに向けられた外縁部分３と略平行に延びると考えられる。マスク取付けフランジの外縁部分３は、シャドー・マスク（図３中の参照番号４）の取付け用のダブル湾曲取付け面を定め、そのため正確な位置と形を採用する。
【００１４】
マスク取り付けフランジに略垂直に、フレーム部は、完成品の陰極線管内ではその幅を陰極線に略垂直にして配置される補強フランジ５で形成される。補強フランジ５は、直線スリット６及び直線リブ７を有し、そのどちらもフレーム部の長手方向に延びる。リブ７は、マスク取付けフランジ２から外方に向いて、スリットとフレーム部分の縁部の間の範囲に位置し、スリット６を通りマスク取付けフランジから離されるフレーム部の範囲を補強及び固定する。
【００１５】
図２より明らかな通り、スリットは補強フランジ５を通る直線的なカット部によって形成され、またそれに続いて、その貫通カットに隣接した縁部のうち１つが、外方に向かって曲げられている。リブ７は、補強フランジ５において波状もしくは襞状に形成されている。
【００１６】
図３中、個々の４つのフレーム部１で組み立てられた状態でのシャドー・マスク・フレームを示し、また、シャドー・マスク・フレームは、内側に映像スクリーン層を具備する管エンベロープ８の前部に位置している。フレーム部１は中空の矩形のフレームを形成し、また、夫々のマスク取付けフランジ２は、管エンベロープの前部の内側上にある映像スクリーン層に向けられている。シャドー・マスク４は、マスク取付けフランジ２の縁部３上に取り付けられる。各フレーム部１の補強フランジ５は、フレーム部によって囲まれた矩形の開口部の方向に内側に向かっている。結合阻止スリット及び安定リブは、夫々参照番号６及び７で示される。個別のフレーム部は組み合わされ、シャドー・マスクの各角で接続金具９によって管エンベロープに固定される。シャドー・マスク・フレーム組立体を有する管エンベロープの前方の部分は、最終的には、前方管エンベロープのリム１０に沿って管エンベロープの円錐部に密閉結合される。
【００１７】
図４では、本発明による、フレーム部１のほかの実施例が示されている。この実施例では、互いに平行な２本のスリット６が配置されており、そのスリット６のうちの１本がブリッジ部１１により中断されている。本実施例は、本発明によるフレーム部が、陰極線管の最良と思われる性能を達成するために望ましい方法にて、フレーム部を「調整」するためにどのように変化しうるか、ということの単なる一例である。
【００１８】
要約すると、本発明は、フレーム部１と、補強フランジ５の少なくとも一部分を陰極線管における残りのフレーム部、シャドー・マスク・フレーム及びシャドー・マスク４から離すための方法と、に係る。シャドー・マスク・フレームは、中空でかつ略矩形に配置された少なくとも４つのフレーム部から構成され、各フレーム部は、互いに対してある角度をなして配置された薄肉材料の２つのフランジ部分２、５を含む。そのうち第１のフランジ部は、マスク取付けフランジ２として機能し、その幅は陰極線と略平行して延びる。また、第２のフランジ部は補強フランジ５として機能し、その幅は陰極線に対し略垂直に延びる。本発明により、貫通スリット６は、フレーム部の長手方向に形成される。
【図面の簡単な説明】
【００１９】
【図１】本発明による補強フランジ側からみたフレーム部の平面図である。
【図２】図１中の線II−IIに沿った横断面図である。
【図３】陰極管エンベロープの前部に挿入された組立シャドー・マスク・フレームの斜視図である。
【図４】他の実施例について、図１に対応する平面図である。
【図１】
2005537620.tif 000003
【図２】
2005537620.tif 000004
【図３】
2005537620.tif 000005
【図４】
2005537620.tif 000006
【国際調査報告】
2005537620.tif 000007
2005537620.tif 000008
2005537620.tif 000009